(57)【特許請求の範囲】
【請求項１】
合成樹脂材料製のグローブにて覆われた光源ランプを、検知対象から放射される熱線を受光し人体等の検知を行う熱線検知装置の出力にて点灯制御するよう成したセンサ付照明器具であって、
前記熱線検知装置は、熱線を受光し電気的な受光信号へ変換する受光部と、光源ランプの配設される器具本体に設けられて受光部から受光信号を入力し人体等の検知処理等を行うセンサ本体とを有し、該受光部を電気的に接離自在とさせ装飾部材の一部または全部となるようグローブ外面に設けて成ることを特徴とするセンサ付照明器具。
【請求項２】
受光部及びセンサ本体間を器具本体へのグローブの着脱に応じて電気的に接離自在として成る請求項１記載のセンサ付照明器具。
【請求項３】
グローブの上面開口の周縁に、被支持部となる、立ち上がり部、該立ち上がり部からグローブの内側又は外側へ向けて突出する張り出し部を設け、同グローブを回転させることにより器具本体に設けられた支持部にて支持させて成り、該グローブ及び器具本体に、器具本体へグローブを装着させたときにその相互が電気的に接触する、受光部またはセンサ本体と電気的に接続された電極を設けた請求項２記載のセンサ付照明器具。
【請求項４】
支持部を、センサ本体と電気的に接続された固定側電極をもった側面視略Ｌ字状の支持片を有する支持部材とし、グローブの上面開口の周縁に該固定電極と接触させる、受光部と電気的に接続された可動電極を設けた請求項３記載のセンサ付照明器具。
【請求項５】
可動電極を略環状とした請求項３記載のセンサ付照明器具。
【請求項６】
略環状の電極をグローブ及び器具本体それぞれに設けて成る請求項２記載のセンサ付照明器具。
【請求項７】
器具本体及びグローブに、その相互を電気的及び機械的に接合させる接合手段をそれぞれ設け、同接合手段を介してグローブを下方から接合させる請求項２記載のセンサ付照明器具。
【請求項８】
受光部をグローブ周囲に複数設け、同グローブが器具本体に対して回転方向の所定位置に位置決めされるよう成した請求項１乃至７のいずれか一つの請求項に記載のセンサ付照明器具。
【請求項９】
合成樹脂材料製のグローブにて覆われた光源ランプを、検知対象から放射される熱線を受光し人体等の検知を行う熱線検知装置の出力にて点灯制御するよう成したセンサ付照明器具であって、
前記熱線検知装置は、熱線を受光しその光路変更させる光路変更部と、光源ランプの配設される器具本体に設けられ、光路変更部から出射される熱線を入射する熱線入射部をもって人体等の検知処理等を行うセンサ本体とを有し、該光路変更部を装飾部材の一部または全部となるようグローブ外面に設けて成ることを特徴とするセンサ付照明器具。
【請求項１０】
熱線入射部は、器具本体の周囲側面に小開口、及び同小開口から器具本体内側の熱線検知素子へ熱線を導く導光部を有する請求項９記載のセンサ付照明器具。
【請求項１１】
前記小開口に３〜１５μｍの波長領域の熱線を透過させる合成樹脂製カバーを設けた請求項１０記載のセンサ付照明器具。
【請求項１２】
センサ本体は、熱線検知素子を器具本体の略中心位置に１つ有し、熱線入射部には、導光部から熱線を反射させて該熱線検知素子へ導く反射部を設けた請求項１０又は１１記載のセンサ付照明器具。
【請求項１３】
熱線入射部が熱線検知素子である請求項９記載のセンサ付照明器具。
【請求項１４】
熱線入射部を、光源ランプより外側に配置した請求項９乃至１３のいずれか一つの請求項に記載のセンサ付照明器具。
【請求項１５】
光路変更部及び熱線入射部をグローブ及び器具本体に複数設け、同グローブが器具本体に対して回転方向の所定位置に位置決めされるよう成した請求項９乃至１４のいずれか一つの請求項に記載のセンサ付照明器具。
【発明の詳細な説明】
【０００１】
【発明の属する技術分野】
本発明は、センサ付照明器具に関するものである。
【０００２】
【従来の技術】
近年、省エネルギ志向が高まりつつあり、人体などから放射される熱線を受光し人体等の検知を行う熱線検知装置の出力にて、光源ランプを点灯制御するよう成したセンサ付照明器具が広く利用されつつある。
【０００３】
上記センサ付照明器具の一例として、図１８に示すシーリングライトＡにおいては、グローブＢを合成樹脂材料として、紫外線に対する耐劣化性能である耐候性、及び可視光の透過性、拡散性など光学性能の良好な、アクリル樹脂材料またはポリスチレン樹脂材料にて形成している。
【０００４】
【発明が解決しようとする課題】
しかしながら、上記従来の技術においては、グローブＢ内部の器具本体に設けられた熱線検知装置Ｃの検知性能を確保するために、熱線検知装置Ｃもしくはその集光用レンズＤを照明器具の外側となるグローブＢ外部に露出する構成としていた。したがって、熱線検知装置Ｃが目立って、照明器具の外観の見栄えが悪く、また、照明器具としてのデザイン的な統一感も損なわれるという問題があった
【０００５】
ところで、特開平１０−１０６３４０として開示されているもので、図１９に示すように、器具本体下面に光源ランプＦと熱線検知装置Ｃとを設けてグローブにて覆い、同グローブを、光源ランプＦから発せられる可視光を透過し人体が発する熱線を透過しない第１材質部Ｂ１（例えばアクリル樹脂材料またはポリスチレン樹脂材料）と、熱線検知装置Ｃに対向して設けられた光源ランプＦからの可視光を透過するとともに人体が発する熱線を透過する第２材質部Ｂ２（例えばポリエチレン樹脂材料）とを備えた構成としている。したがって、従来のものよりも熱線検知装置が視認されにくくなり、照明器具とし外観のデザイン性の向上も図れる。
【０００６】
しかしながら、このグローブの構成は、異なる樹脂材料どうしを組み合わせ接合している。したがって、生産面で従来よりも工数が増え、また、上記接合部の違和感を無くすために装飾部材を設けるなどの配慮も必要となって、その分コスト面で不利になることも懸念される。
【０００７】
本発明は、上記事由に鑑みてなしたもので、その目的とするところは、照明器具外部から熱線検知装置を目立たなく設けることができて熱線検知装置の検知性能を確保できるセンサ付照明器具を提供することにある。
【０００８】
【課題を解決するための手段】
上記目的を達成するために、本発明のセンサ付照明器具の第１の構成は、合成樹脂材料製のグローブにて覆われた光源ランプを、検知対象から放射される熱線を受光し人体等の検知を行う熱線検知装置の出力にて点灯制御するよう成したセンサ付照明器具であって、前記熱線検知装置は、熱線を受光し電気的な受光信号へ変換する受光部と、光源ランプの配設される器具本体に設けられて受光部から受光信号を入力し人体等の検知処理等を行うセンサ本体とを有し、該受光部を電気的に接離自在とさせ装飾部材の一部または全部となるようグローブ外面に設けて成ることを特徴としている。
【０００９】
この構成にて、器具本体に設けられる光源ランプは、グローブ外面に装飾部材の一部または全部となるよう、分離し設けられた受光部を電気的に接続させて、器具本体に設けられたセンサ本体に電気的な受光信号が入力されて人体等の検知処理等が成され、点灯制御される。
【００１０】
そして、上記受光部及びセンサ本体間を器具本体へのグローブの着脱に応じて電気的に接離自在とすることが好ましい。この場合、器具本体へグローブを装着させたときに受光部及びセンサ本体間が電気的に接続される。
【００１１】
また、上記グローブの上面開口の周縁に、被支持部となる、立ち上がり部、該立ち上がり部からグローブの内側又は外側へ向けて突出する張り出し部を設け、同グローブを回転させることにより器具本体に設けられた支持部にて支持させて成り、該グローブ及び器具本体に、器具本体へグローブを装着させたときにその相互が電気的に接触する、受光部またはセンサ本体と電気的に接続された電極を設けるのが好ましい。この場合、グローブを回転させて、器具本体に設けられた支持部にてその上面開口の周縁の立ち上がり部、該立ち上がり部からグローブの内側又は外側へ向けて突出する張り出し部を支持させグローブを装着させたときに、該グローブ及び器具本体に設けられた、受光部またはセンサ本体と電気的に接続された電極相互が電気的に接触され受光部及びセンサ本体間が電気的に接続される。
【００１２】
また、上記支持部を、センサ本体と電気的に接続された固定側電極をもった側面視略Ｌ字状の支持片を有する支持部材とし、グローブの上面開口の周縁に該固定電極と接触させる、受光部と電気的に接続された可動電極を設けるのが好ましい。この場合、グローブを回転させて、前記被支持部を、側面視略Ｌ字状の支持片を有する支持部材に支持させたとき、それに設けられた固定側電極がグローブの上面開口の周縁の可動電極に接触されて、受光部及びセンサ本体間が電気的に接続される。
【００１３】
また、上記可動電極を略環状とするのが好ましい。この場合、グローブを回転させて、前記被支持部を、側面視略Ｌ字状の固定側電極をもった支持部材に支持させたとき、グローブの上面開口周縁の略環状可動電極に接触され受光部及びセンサ本体間が電気的に接続される。
【００１４】
また、略環状の電極をグローブ及び器具本体それぞれに設けるのも好ましい。この場合、グローブを回転させて、器具本体に設けられた支持部にてその上面開口の周縁の立ち上がり部、該立ち上がり部からグローブの内側又は外側へ向けて突出する張り出し部を支持させたときに、該グローブ及び器具本体に設けられた、略環状の電極相互が電気的に接触され受光部及びセンサ本体間が電気的に接続される。
【００１５】
また、上記器具本体及びグローブに、その相互を電気的及び機械的に接合させる接合手段をそれぞれ設け、同接合手段を介してグローブを下方から接合させるのも好ましい。この場合、グローブを、器具本体へその下方から接合手段を介して装着させたときに、受光部及びセンサ本体間が電気的に接続され機械的に接合される。
【００１６】
また、上記受光部をグローブ周囲に複数設け、同グローブが器具本体に対して回転方向の所定位置に位置決めされるよう成すのが好ましい。この場合、器具本体に設けられる光源ランプが、器具本体に位置決め支持されるグローブ外面の複数の受光部からセンサ本体に電気的な受光信号が入力されて人体等の検知処理等が成され、点灯制御される。
【００１７】
また、本発明のセンサ付照明器具の第２の構成は、合成樹脂材料製のグローブにて覆われた光源ランプを、検知対象から放射される熱線を受光し人体等の検知を行う熱線検知装置の出力にて点灯制御するよう成したセンサ付照明器具であって、前記熱線検知装置は、熱線を受光しその光路変更させる光路変更部と、光源ランプの配設される器具本体に設けられ、光路変更部から出射される熱線を入射する熱線入射部をもって人体等の検知処理等を行うセンサ本体とを有し、該光路変更部を装飾部材の一部または全部となるようグローブ外面に設けて成る。この構成にて、器具本体に設けられる光源ランプは、グローブ外面に装飾部材の一部または全部となるよう分離させ設けられた光路変更部から出射された熱線が、器具本体に設けられたセンサ本体の熱線入射部に入射されて人体等の検知処理等が成され、点灯制御される。
【００１８】
そして、上記熱線入射部は、器具本体の周囲側面に小開口、及び同小開口から器具本体内側の熱線検知素子へ熱線を導く導光部を有するのが好ましい。この場合、器具本体の周囲側面に設けられた熱線入射部の小開口から導光部を介して器具本体内側の熱線検知素子へ熱線が導かれてセンサ本体にて人体等の検知処理等が成される。
【００１９】
また、上記小開口に３〜１５μｍの波長領域の熱線を透過させる合成樹脂製カバーを設けるのが好ましい。この場合、３〜１５μｍの波長領域の熱線が、器具本体の周囲側面の合成樹脂製カバーをもった小開口から導光部を経て熱線検知素子へ導かれる。
【００２０】
また、上記センサ本体は、熱線検知素子を器具本体の略中心位置に１つ有し、熱線入射部には、導光部から熱線を反射させて該熱線検知素子へ導く反射部を設けるのが好ましい。この場合、器具本体の周囲側面に設けられた熱線入射部の小開口から、導光部及び反射部を経て器具本体内側の１つの熱線検知素子へ熱線が導かれてセンサ本体にて人体等の検知処理等が成される。
【００２１】
また、上記熱線入射部が熱線検知素子であるのも好ましい。この場合、器具本体に設けられる光源ランプは、グローブ外面に装飾部材の一部または全部となるよう分離させ設けられた光路変更部から出射された熱線が、器具本体に設けられたセンサ本体の熱線検知素子に入射されて人体等の検知処理等が成され、点灯制御される。
【００２２】
また、上記熱線入射部を、光源ランプより外側に配置するのが好ましい。この場合、グローブ外面に装飾部材の一部または全部となるよう分離させ設けられた光路変更部から出射された熱線が、器具本体に設けられた光源ランプより外側に配置された熱線入射部に入射されてセンサ本体にて人体等の検知処理等が成される。
【００２３】
また、上記光路変更部及び熱線入射部をグローブ及び器具本体に複数設け、同グローブが器具本体に対して回転方向の所定位置に位置決めされるよう成すのが好ましい。この場合、器具本体に設けられる光源ランプが、器具本体に位置決め支持されるグローブ外面の複数の光路変更部からそれぞれ対応する熱線入射部に熱線が入射されてセンサ本体にて人体等の検知処理等が成され、点灯制御される。
【００２４】
【発明の実施の形態】
図１乃至図４は、本発明の、請求項１乃至５、８全てに対応する第１の実施の形態を示し、図５乃至７は、請求項６に対応する第２の実施の形態を示し、図８，９は、請求項７に対応する第３の実施の形態を示し、図１０，１１は、請求項１乃至８に対応する他の実施例を示し、図１２乃至１４は、請求項９乃至１１、１４、１５に対応する第４の実施の形態を示し、図１５は、請求項１２に対応する第５の実施の形態を示し、図１６は、請求項１３に対応する第６の実施の形態を示し、図１７は、本発明の他の実施例を示している。
【００２５】
［第１の実施の形態］
図１は、本発明の第１の実施の形態のセンサ付照明器具の概略構成を示す部分断面図、図２は、同センサ付照明器具の外観図、図３は、同センサ付照明器具のグローブを示す平面図、図４は、同センサ付照明器具の支持構造の斜視図を示し、（ａ）はグローブ、（ｂ）は器具本体である。
【００２６】
この実施の形態のセンサ付照明器具１は、合成樹脂材料製のグローブ２にて覆われた光源ランプ９を、検知対象から放射される熱線を受光し人体等の検知を行う熱線検知装置８の出力にて点灯制御するよう成したセンサ付照明器具であって、前記熱線検知装置８は、熱線を受光し電気的な受光信号へ変換する受光部８１と、光源ランプ９の配設される器具本体５に設けられて受光部８１から受光信号を入力し人体等の検知処理等を行うセンサ本体８２とを有し、該受光部８１を電気的に接離自在とさせ装飾部材３の一部となるようグローブ２外面に設けて成る。
【００２７】
又、該実施の形態のセンサ付照明器具１においては、受光部８１及びセンサ本体８２間を器具本体５へのグローブ２の着脱に応じて電気的に接離自在としてもいる。又、該実施の形態のセンサ付照明器具１においては、グローブ２の上面開口２ａの周縁に、被支持部となる、立ち上がり部２１、該立ち上がり部２１からグローブ２の外側へ向けて突出する張り出し部２２を設け、同グローブ２を回転させることにより器具本体５に設けられた支持部６にて支持させて成り、該グローブ２及び器具本体５に、器具本体５へグローブを装着させたときにその相互が電気的に接触する、受光部８１またはセンサ本体８２と電気的に接続された電極４，７を設けてもいる。又、該実施の形態のセンサ付照明器具１においては、受光部８１をグローブ２周囲に複数設け、同グローブ２が器具本体５に対して回転方向の所定位置に位置決めされるよう成してもいる。
【００２８】
詳しくは、この実施の形態におけるセンサ付照明器具１は、従来の技術にて説明したものと同じく住宅等の居住空間照明用のシーリングライト呼ばれるもので、図２に示すような外観で、居室内の天井に取り付けられて使用される。そして、図１に示すように、丸形蛍光管にて形成された光源ランプ９と、この光源ランプ９を覆う、可視光の透過可能なアクリル樹脂材料またはポリスチレン樹脂材料などの合成樹脂材料にて形成されるグローブ２と、光源ランプ９を点灯させる器具本体５と、熱線検知装置８とを備えており、これらは何れもグローブ２をその主要部とする外郭カバー内部に配設される。この外郭カバーは、光源ランプ９の透光カバーとなる上面開口２ａをもったおわん状に形成されたグローブ２と、このグローブ２の外周縁部３カ所に設けられた装飾部材３と、可動電極４と、熱線検知装置８の一部となる受光部８１とを具備している。
【００２９】
グローブ２は、詳しくは図３に示す形状で、この場合、ポリスチレン樹脂による大略１ｍｍの厚みをもったシート材料にておわん状に真空成型され、立ち上がり部２１には、後述する支持部材６にて位置決め支持されるようその周囲３カ所に等間隔にて被支持片２３を配設しており、また、張り出し部２２の所定位置には、器具本体５に対して上記外郭カバーを回転方向の所定位置に位置決めさせるための位置決め孔２４を穿設している。被支持片２３は、図４（ａ）に示す如く、その位置決め片２３ａが上面開口２ａの側へ向くよう形成されたもので、立ち上がり部２１に固着されている。
【００３０】
被支持部である立ち上がり部２１の基端内側には、受光部８１とリード線を介して電気的に接続された可動電極４，４（電極）がグローブ２の全周にわたって設けられており、外郭カバー、すなわちグローブ２を器具本体５の支持部材６へ支持させたときに、器具本体５に設けられているセンサ本体８２と受光部８１との間がその着脱に応じて電気的に接離自在となるようになっている。
【００３１】
装飾部材３は、図１に示す如く側面視略フ字状で所定幅をもった合成樹脂製部材で、図示していない固着手段をもって、グローブ２の外周上部の縁部に固着されている。この装飾部材３は、内側に後述する受光部８１を嵌合固着させる取付孔が設けられており、同図に示すように、リード線の設けられている受光部８１をグローブ２の挿通孔に挿通させた後、該挿通孔を覆うようにしてグローブ２に固着される。
【００３２】
可動電極４，４（電極）は、この場合、円環状に形成された黄銅板による部材で、図示していないカシメ片を折曲させ、グローブ２の上面開口２ａの外周に、同心状となるよう全周にわたって設けられている。この可動電極４，４には、受光部８１に設けられていリード線端部が溶接などにてそれぞれに固着されている。したがって、グローブ２を回転させて、前記被支持部を、後述する支持部材６に支持させたとき、それの固定側電極７，７がグローブ２の上面開口２ａ周縁の略環状のこの可動電極４，４に接触されて、簡単な構成にて、且つ適宜位置にて受光部８１及びセンサ本体８２間が電気的に接続される。
【００３３】
器具本体５は、この場合、光源ランプ９の蛍光管を高効率に点灯させる点灯装置として、電子安定器であるインバータ点灯回路が、略円盤状の基板５１下面に装着された本体ケース５２内部に設けられ、該インバータ点灯回路に電源を供給する電源回路及び、後述する熱線検知装置８のセンサ本体８２が他に設けられている。なお、上記電源回路は、上記センサ本体８２へ電源を供給するようになっており、また、上記の電子安定器は、光源ランプ９の点滅操作をセンサ本体８２とプルスイッチとにより行われるよう構成されている。なお、このプルスイッチは、良く知られた接点式の点滅機構を備えた構造のものにて形成することができる。
【００３４】
基板５１は、鋼板材料にて形成され、この場合、その外周縁には、支持部となる、上記センサ本体８２と電気的に接続された固定側電極７，７をもった側面視略Ｌ字状の支持片６１を有する支持部材６が設けられている。支持部材６は、上記被支持片２３を支持するもので、その位置決め片２３ａの当接する当接片をもって合成樹脂にて形成され、基板５１にねじ等の固定具を用いて固着されている。この装飾部材３は、図４（ｂ）に示す如く固定側電極７，７が並設されており、同図に示すように、リード線を介して本体ケース５２内部に設けられているセンサ本体８２と接続されている。また、この基板５１の外周縁には、グローブ２の位置決め孔２４に対応する所定位置に、図１に示す如く、器具本体５に対してこの外郭カバーを回転方向の所定位置に位置決めさせる上下に出没自在な位置決め突起５３が設けられている。
【００３５】
熱線検知装置８は、人体の存在あるいは移動状態の検出を行う、熱線を受光し電気的な受光信号へ変換する受光部８１と、上記電子安定器を制御し光源ランプ９を点灯させる出力回路、及び熱線検知装置８全体の電源供給を行うセンサ電源回路とをもったセンサ本体８２とを備えている。受光部８１は、焦電センサと呼ばれている、人体等から放射される熱線を感知する熱線検知素子と、熱線検知素子から出力される微弱な人体検知信号を電気的に増幅し、その信号処理を行う信号処理回路とが一体化されたもので、熱線検知素子を覆ってそれへ向けて集光する、熱線集光用のポリエチレン樹脂材料製ドーム状マルチレンズの内部に収容されている。
【００３６】
受光部８１は、この場合、グローブ２周囲に３つ設けてあり、器具本体５に対して、グローブ２がその位置決め孔２４に器具本体５の位置決め突起５３の挿入された状態にて、グローブ２の回転方向の所定位置に位置決めされるようになっている。したがって、器具本体５に設けられる光源ランプ９が、器具本体５に位置決め支持されるグローブ２外面の３つの受光部８１からセンサ本体８２に電気的な受光信号が入力され、３つの方向の人体等の検知処理等が成され、点灯制御される。
【００３７】
上記のセンサ付照明器具１においては、器具本体５に設けられる光源ランプ９は、グローブ２外面に装飾部材３の一部となるよう、分離し設けられた受光部８１を電気的に接続させて、器具本体５に設けられたセンサ本体８２に電気的な受光信号が入力されて人体等の検知処理等が成され、点灯制御される。すなわち、従来、グローブ２の中央から外側に露出していた熱線検知装置を露出させる必要がなくなり、且つ、その受光部８１を外見上単なる装飾部材３の一部として、熱線検知装置８の存在を意識させること無く配設することが可能となるのである。
【００３８】
また、このとき、器具本体５へグローブ２を装着させたときに受光部８１及びセンサ本体８２間を電気的に接続させることとなり、例えばコネクタの抜き差しを行うこと無く器具本体５へのグローブ２の取付けや光源ランプ９交換等の補修を容易に行うことができる。さらに、グローブ２を回転させて、器具本体５に設けられた支持部６にてその上面開口２ａの周縁の被支持部となる、立ち上がり部２１、該立ち上がり部２１からグローブの外側へ向けて突出する張り出し部２２を、側面視略Ｌ字状の支持片６１を有する支持部材６に支持させグローブ２を装着させたときに、該グローブ２及び器具本体５に設けられた、受光部８１またはセンサ本体８２と電気的に接続された可動電極４，４、固定側電極７，７相互を電気的に接触させ、簡単な構成で受光部８１及びセンサ本体８２間を電気的に確実に接続されるのである。
【００３９】
したがって、以上説明したセンサ付照明器具１によると、器具本体５に設けられる光源ランプ９は、グローブ２外面に装飾部材３の一部となるよう、分離し設けられた受光部８１を電気的に接続させて、器具本体５に設けられたセンサ本体８２に電気的な受光信号が入力されて人体等の検知処理等が成され、点灯制御されるので、照明器具外部から熱線検知装置８を目立たなく設けることができて熱線検知装置８の検知性能を確保できる。
【００４０】
そして、器具本体５へグローブ２を装着させたときに受光部８１及びセンサ本体８２間が電気的に接続されるので、例えばコネクタの抜き差しを行うこと無く器具本体５へのグローブ２の取付けや光源ランプ９交換等の補修を容易に行うことができて、使い勝手が良い。また、グローブ２を回転させて、器具本体５に設けられた支持部６にてその上面開口２ａの周縁の被支持部となる立ち上がり部２１、該立ち上がり部２１からグローブ２の外側へ向けて突出する張り出し部２２を支持させグローブ２を装着させたときに、該グローブ２及び器具本体５に設けられた、受光部８１またはセンサ本体８２と電気的に接続された電極４，７相互が電気的に接触され受光部８１及びセンサ本体８２間が電気的に接続されるので、簡単な構成となる。
【００４１】
また、グローブ２を回転させて、前記被支持部を、側面視略Ｌ字状の支持片６１を有する支持部材６に支持させたとき、それに設けられた固定側電極７，７がグローブ２の上面開口２ａの周縁の可動電極４，４に接触されて、受光部８１及びセンサ本体８２間が電気的に接続されるので、確実に接続され、しかも、グローブ２の上面開口２ａ周縁の略環状可動電極４，４に接触され接続されるので、グローブ２の適宜位置において接続させることができ、より確実に接続される。
【００４２】
また、この場合、器具本体５に設けられる光源ランプ９が、器具本体５に位置決め支持されるグローブ２外面の３つの受光部８１からセンサ本体８２に電気的な受光信号が入力されて人体等の検知処理等が成され、点灯制御されるので、器具本体５の周囲全体の人体等を検知し、光源ランプ９の点滅をさせることができて使い勝手が良い。
【００４３】
［第２の実施の形態］
図５は、第２の実施の形態のセンサ付照明器具の概略構成を示す部分断面図、図６は、同センサ付照明器具の器具本体を示す下から見た平面図、図７は、同センサ付照明器具の他実施例を示す概略構成図である。
【００４４】
この実施の形態のセンサ付照明器具は、電極の構成のみが第１の実施の形態と異なるもので、他の構成部材は第１の実施の形態のものと同一で、同じ機能の構成要素には同じ番号を付している。後述する他の実施形態の図面についても同様で、該実施の形態のセンサ付照明器具１は、略環状の電極４，７をグローブ２及び器具本体５それぞれに設けて成る。
【００４５】
このもののグローブ２は、黄銅板による可動電極４，４が、グローブ２の外側へ向けて突出する張り出し部２２に、同心状となるよう全周にわたって設けられている。この可動電極４、４には、該グローブ２周囲に３つ設けられている受光部８１とリード線を介して接続されている。また、このものの器具本体５にも、図６に示すように、黄銅板による固定側電極７，７が、基板５１の外周縁部の全周にわたって設けられている。なお、この固定側電極７，７は、絶縁板を介して互いに絶縁された状態にて鋼板製の基板５１表面に配置されている。なお、基板５１の外周縁部には、支持部となる鋼板製の支持部材６が同図に示すよう配置され、被支持部となる立ち上がり部２１、該立ち上がり部２１からグローブ２の外側へ向けて突出する張り出し部２２を支持するようになっている。
【００４６】
したがって、以上説明したセンサ付照明器具１によると、グローブ２を回転させて、器具本体５に設けられた支持部にてその上面開口２ａの周縁の立ち上がり部２１、該立ち上がり部２１からグローブ２の外側へ向けて突出する張り出し部２２を支持させたときに、該グローブ２及び器具本体５に設けられた、略環状の電極４，７相互が電気的に接触され受光部８１及びセンサ本体８２間が電気的に接続されるので、支持部材６に電極を設けることが無く簡単な構成となる。
【００４７】
なお、本実施の形態による構成は、上記の如く支持部を形成する以外に、図７に示すように、器具本体５の基板５１の外周縁部に雌ねじの刻設された立ち下り部５４を設け、グローブ２の上面開口２ａの周縁に雄ねじの刻設された立ち上がり部２５を設けて、該立ち上がり部２５、立ち下り部５４に略環状の電極４，７を設けて、グローブ２及び器具本体５をねじ嵌合にて支持させる構成等、各種構成のものを含む。
【００４８】
［第３の実施の形態］
図８は、第３の実施の形態のセンサ付照明器具の概略構成を示す部分断面図、図９は、同センサ付照明器具の他実施例を示す概略構成図である。
【００４９】
この実施の形態のセンサ付照明器具は、グローブを支持する構成、及び電極を設ける構成が第１の実施の形態と異なるもので、他の構成部材は第１の実施の形態のものと同一で、該実施の形態のセンサ付照明器具は、器具本体５及びグローブ２に、その相互を電気的及び機械的に接合させる接合手段１０，１１をそれぞれ設け、同接合手段１０，１１を介してグローブ２を下方から接合させる。
【００５０】
このもののグローブ２は、その円周上の対向する位置に、図８に示すように、その一方に可動電極１０ａをもった接合手段１０となる支持機構が設けられ、この可動電極１０ａには、該グローブ２周囲に３つ設けられている受光部８１とリード線を介して接続されている。また、このものの器具本体５には、同図に示すように、接合手段１１となる、固定側電極１１ａをもった出退自在の被支持片を備えたばね機構を有する被支持機構が、基板５１の外周縁部の対向する位置に設けられて、この固定側電極１１ａには、器具本体５内部のセンサ本体８２、図示していないリード線を介して接続されている。
【００５１】
したがって、以上説明したセンサ付照明器具１によると、グローブ２を、器具本体５へその下方から接合手段１０，１１を介して装着させたときに、受光部８１及びセンサ本体８２間が電気的に接続され機械的に接合されるので、簡単な構成となり、また容易に装着できる。
【００５２】
なお、本実施の形態による構成は、上記の如く支持部を設ける以外に、図９に示すように、互いに突き合わせ接合させ接続する同軸状コネクタ１０，１１を設けてグローブ２及び器具本体５を電気的に接続させ機械的に接合し支持させても良い。また、以上述べたセンサ付照明器具１においては、勿論、図１０に示すように、受光部８１またはセンサ本体８２とは電気的に接続されたコネクタ１２を介して電気的に接続させ構成しても良いし、さらに、グローブ２は、その位置決め孔２４に器具本体５の位置決め突起５３が挿入せて回転方向の位置決めを行う構成以外に、図１１（ａ）に示すように、位置決め片を１カ所のみ形状の大きい位置決め片２３ｂとしたり、あるいは、図１１（ｂ）に示すように、位置決め片を１カ所のみ円周上の等間隔位置より外れた位置に設けて位置決め片２３ｃとする等、各種構成を以てグローブ２を器具本体５へ位置決めさせる構成を含むことは言うまでもない。
【００５３】
［第４の実施の形態］
図１２は、第４の実施の形態のセンサ付照明器具の概略構成を示す部分断面図、図１３は、同センサ付照明器具の説明図で、（ａ）はグローブを上から見た平面図、（ｂ）は器具本体を下から見た平面図、図１４は、同センサ付照明器具の熱線入射部の説明図である。
【００５４】
この実施の形態のセンサ付照明器具１は、合成樹脂材料製のグローブ２にて覆われた光源ランプ９を、検知対象から放射される熱線を受光し人体等の検知を行う熱線検知装置８の出力にて点灯制御するよう成したセンサ付照明器具であって、図１２に示すように、前記熱線検知装置８は、熱線を受光しその光路変更させる光路変更部８３と、光源ランプ９の配設される器具本体５に設けられ、光路変更部８３から出射される熱線を入射する熱線入射部８４をもって人体等の検知処理等を行うセンサ本体８２とを有し、該光路変更部８３を装飾部材３の一部となるようグローブ２外面に設けて成る。
【００５５】
また、該実施の形態のセンサ付照明器具１は、熱線入射部８４は、器具本体５の周囲側面に小開口８５、及び同小開口８５から器具本体５内側の熱線検知素子８７へ熱線を導く導光部８６を有してもいる。また、該実施の形態のセンサ付照明器具１は、光路変更部８３及び熱線入射部８４をグローブ２及び器具本体５に３つ設け、グローブ２には、その張り出し部２２の所定位置に、器具本体５に設けられている位置決め突起５３に対してこのグローブ２を回転方向の所定位置に位置決めさせるための位置決め孔２４を穿設させ、グローブ２が器具本体５に対して回転方向の所定位置に位置決めされるよう成してもいる。
【００５６】
このもののグローブ２は、可視光の透過可能なアクリル樹脂材料またはポリスチレン樹脂材料などの合成樹脂材料にて形成され、図１３（ａ）に示すように、その外周縁部の３カ所に設けられた装飾部材３に、さらに矢印にて示す３方向から入射する熱線を受光し、その光路をグローブ２の中心方向へ変更させる、３つの反射面をもった光学ミラーにて形成された光路変更部８３を有している。なお、この光学ミラーは樹脂材料にメッキ処理が施されて反射膜が成膜されており、熱線の反射率を高めている。
【００５７】
また、このものの器具本体５は、略円盤状の基板５１下面に装着された点灯装置を覆う本体ケース５２に、熱線入射部８４を構成する導光部８６が一体化されており、この導光部８６の略中心位置に設けられた３つの熱線検知素子８７にて受光するようセンサ本体８２が構成されている。なお、この導光部８６も樹脂材料にメッキ処理が施されて反射膜が成膜された光学ミラーにて上下面が形成され、図１４に示すように、熱線を器具本体５の略中心の熱線検知素子８７へ向かうよう反射させている。
【００５８】
この場合、小開口８５に、３〜１５μｍの波長領域の熱線を透過させる合成樹脂であるポリエチレン樹脂材料製のカバー８５ａが設けられており、３〜１５μｍの波長領域の熱線が、器具本体５の周囲側面のカバー８５ａをもった小開口８５から導光部８６を経て熱線検知素子８７へ導かれる。したがって、気流の変動にて熱線検知素子８７が誤動作することなく人体検知を行うことができ、さらに、上記熱線入射部８４は、光源ランプ９よりｄに示す距離だけ外側に配置されており、光源ランプ９の発熱により熱線検知素子８７が誤動作することも防止することができる。
【００５９】
したがって、以上説明したセンサ付照明器具１によると、器具本体５に設けられる光源ランプ９は、グローブ２外面に装飾部材３の一部となるよう分離させ設けられた光路変更部８３から出射された熱線が、器具本体５に設けられたセンサ本体８２の熱線入射部８４に入射されて人体等の検知処理等が成され、点灯制御されるので、照明器具外部から熱線検知装置８を目立たなく設けることができて熱線検知装置８の検知性能を確保できる。
【００６０】
また、器具本体５の周囲側面に設けられた熱線入射部８４の小開口８５から導光部８６を介して器具本体５内側の熱線検知素子８７へ熱線が導かれてセンサ本体８２にて人体等の検知処理等が成されるので、簡単な構成となる。また、３〜１５μｍの波長領域の熱線が、器具本体５の周囲側面の合成樹脂製カバー８５ａをもった小開口８５から導光部８６を経て熱線検知素子８７へ導かれるので、気流の変動にて熱線検知素子８７が誤動作することなく人体検知を行うことができる。
【００６１】
また、グローブ２外面に装飾部材３の一部となるよう分離させ設けられた光路変更部８３から出射された熱線が、器具本体５に設けられた光源ランプ９より外側に配置された熱線入射部８４に入射されてセンサ本体８２にて人体等の検知処理等が成されるので、光源ランプ９の発熱により熱線検知素子８７が誤動作することを防止することができる。また、器具本体５に設けられる光源ランプ９が、器具本体５に位置決め支持されるグローブ２外面の３つの光路変更部８３からそれぞれ対応する熱線入射部８４に熱線が入射されてセンサ本体８２にて人体等の検知処理等が成され、点灯制御されるので、器具本体５の周囲全体の人体等を検知し、光源ランプ９の点滅をさせることができて使い勝手が良い。
【００６２】
［第５の実施の形態］
図１５は、第５の実施の形態のセンサ付照明器具の説明図で、（ａ）は部分概略構成図、（ｂ）は反射部の断面を示す。
【００６３】
この実施の形態のセンサ付照明器具１は、導光部８６の構成のみが第４の実施の形態と異なるもので、他の構成は第４の実施の形態のものと同一で、該実施の形態のセンサ付照明器具１は、センサ本体８２は、熱線検知素子８７を器具本体５の略中心位置に１つ有し、熱線入射部８４には、導光部８６から熱線を反射させて該熱線検知素子８７へ導く反射部８８を設けている。
【００６４】
このものの導光部８６には、図１５に示すように、器具本体５の略中心位置に熱線検知素子８７を下向きに１つ設け、その熱線検知素子８７に対向する位置に、反射部８８となる補助ミラーを設けている。したがって、熱線検知素子８７の向きに関わらず、また、熱線検知素子８７を多数設けることなく熱線入射部８４からの熱線を熱線検知素子８７に入射させることができる。なお、上記補助ミラーの数及びその形状は、例えば放物面など、熱線を熱線検知素子８７へ到達させることができれば特に限定しない。また、補助ミラーによる熱線の反射率を高めるために、補助ミラー表面にメッキ処理を施して反射膜を成膜することも好ましい。
【００６５】
したがって、以上説明したセンサ付照明器具１によると、器具本体５の周囲側面に設けられた熱線入射部８４の小開口８５から、導光部８６及び反射部８８を経て器具本体５内側の１つの熱線検知素子８７へ熱線が導かれてセンサ本体８２にて人体等の検知処理等が成されるので、確実に熱線を熱線検知素子８７まで導光することができる。
【００６６】
［第６の実施の形態］
図１６は、第６の実施の形態のセンサ付照明器具の概略構成を示す部分断面図である。
【００６７】
この実施の形態のセンサ付照明器具は、熱線入射部の構成が第４の実施の形態と異なるもので、他の構成部材は第４の実施の形態のものと同一で、該実施の形態のセンサ付照明器具１は、熱線入射部が熱線検知素子８７であることとしている。
【００６８】
このものの器具本体５には、図１６に示すように熱線入射部となるグローブ２の光路変更部８３に対向する位置に熱線検知素子８７を３つ設けてグローブ２が器具本体５に対して回転方向の所定位置に位置決めされるよう成してもいる。
【００６９】
したがって、以上説明したセンサ付照明器具１によると、器具本体５に設けられる光源ランプ９は、グローブ２外面に装飾部材３の一部となるよう分離させ設けられた光路変更部８３から出射された熱線が、器具本体５に設けられたセンサ本体８２の熱線検知素子８７に入射されて人体等の検知処理等が成され、点灯制御されるので、確実に熱線を熱線検知素子８７まで導光することができて簡単な構成となる。
【００７０】
なお、本発明のセンサ付照明器具は、以上説明した実施例以外に、受光部８１あるいは光路変更部８３をグローブ２の装飾部材とし、それらを装飾部材３の全部となるようにして設けたり、あるいは、例えば図１７に示すように、装飾部材３をフランジとして受光部８１あるいは光路変更部８３を適宜位置に設け、さらにそれらを３〜１５μｍの波長領域の熱線を透過させる合成樹脂であるポリエチレン樹脂材料製シートによって覆い、より目立たなくする等、各種構成にて形成することができることは言うまでもない。
【００７１】
【発明の効果】
以上に説明したように、本発明のセンサ付照明器具によれば、光源ランプは、グローブ外面に装飾部材の一部または全部となるよう分離し設けられた受光部あるいは光路変更部を介して、器具本体に設けられたセンサ本体に電気的あるいは光学的に信号が入力されて人体等の検知処理等が成されて点灯制御されるので、照明器具外部から熱線検知装置を目立たなく設けることができて熱線検知装置の検知性能を確保できる。
【図面の簡単な説明】
【図１】本発明の第１の実施の形態のセンサ付照明器具の概略構成を示す部分断面図である。
【図２】同センサ付照明器具の外観図である。
【図３】同センサ付照明器具のグローブを示す平面図である。
【図４】同センサ付照明器具の支持構造の斜視図を示し、（ａ）はグローブ、（ｂ）は器具本体である。
【図５】第２の実施の形態のセンサ付照明器具の概略構成を示す部分断面図である。
【図６】同センサ付照明器具の器具本体を示す下から見た平面図である。
【図７】同センサ付照明器具の他実施例を示す概略構成図である。
【図８】第３の実施の形態のセンサ付照明器具の概略構成を示す部分断面図である。
【図９】同センサ付照明器具の他実施例を示す概略構成図である。
【図１０】本発明の、第１の構成の他の実施例を示す概略構成図である。
【図１１】本発明の他の実施例によるグローブを示す説明図である。
【図１２】第４の実施の形態のセンサ付照明器具の概略構成を示す部分断面図である。
【図１３】同センサ付照明器具の説明図で、（ａ）はグローブを上から見た平面図、（ｂ）は器具本体を下から見た平面図である。
【図１４】同センサ付照明器具の熱線入射部の説明図である。
【図１５】、第５の実施の形態のセンサ付照明器具の説明図で、（ａ）は部分概略構成図、（ｂ）は反射部の断面を示す。
【図１６】第６の実施の形態のセンサ付照明器具の概略構成を示す部分断面図である。
【図１７】本発明のセンサ付照明器具の、他実施例を示す外観図である。
【図１８】本発明の従来例であるセンサ付照明器具を示す説明図で、（ａ）は概略構成図、（ｂ）は外観図である。
【図１９】同センサ付照明器具の他の構成を示す概略構成図である。
【符号の説明】
１    センサ付照明器具
２    グローブ
２ａ  上面開口
２１  立ち上がり部
２２  張り出し部
３    装飾部材
４    可動電極（電極）
５    器具本体
６    支持部材（支持部）
７    固定側電極（電極）
８    熱線検知装置
８１  受光部
８２  センサ本体
８３  光路変更部
８４  熱線入射部
８５  小開口
８５ａ  カバー
８６  導光部
８７  熱線検知素子
９    光源ランプ
【図１】
0003656528.tif 000002
【図２】
0003656528.tif 000003
【図３】
0003656528.tif 000004
【図４】
0003656528.tif 000005
【図５】
0003656528.tif 000006
【図６】
0003656528.tif 000007
【図７】
0003656528.tif 000008
【図８】
0003656528.tif 000009
【図９】
0003656528.tif 000010
【図１０】
0003656528.tif 000011
【図１１】
0003656528.tif 000012
【図１２】
0003656528.tif 000013
【図１３】
0003656528.tif 000014
【図１４】
0003656528.tif 000015
【図１５】
0003656528.tif 000016
【図１６】
0003656528.tif 000017
【図１７】
0003656528.tif 000018
【図１８】
0003656528.tif 000019
【図１９】
0003656528.tif 000020